(57)【要約】【課題】  排泄した尿を外部へ飛散または漏洩させずに確実に回収することができる排尿回収具を提供する。【解決手段】  長方形の第１壁部８と、第１壁部８と同一形状の第２壁部９と、を含み、第１壁部８の一方の長辺部分１０と第２壁部９の一方の長辺部分１１とは、第１壁部８および第２壁部９の長手方向一端部１４，１５から第１壁部８および第２壁部９の長手方向他端部１６，１７にわたって連なり、第１壁部８の他方の長辺部分１８と第２壁部９の他方の長辺部分１９とは、第１壁部８および第２壁部９の長手方向一端部１４，１５から、第１壁部８および第２壁部９の長手方向一端部１４，１５と、第１壁部８および第２壁部９の長手方向他端部１６，１７との間の中間部における予め定める位置２３，２４にわたって連なり、第１壁部８の一方の短辺部分２８と、第２壁部９の一方の短辺部分２９とは連なり、第１壁部８の他方の短辺部分３０と、第２壁部９の他方の短辺部分３１とは離間している。【選択図】    図１
2020089507.tif 000002
【特許請求の範囲】
【請求項１】
液透過性を有する表面シートと、液不透過性を有する裏面シートと、前記表面シートと前記裏面シートとの間に介在され、液体を保持する吸収体とを有する吸収シートから成る扁平な筒状の排尿回収具であって、
長方形の第１壁部と、
前記第１壁部と同一形状の第２壁部と、を含み、
前記第１壁部の一方の長辺部分と前記第２壁部の一方の長辺部分とは、前記第１壁部および前記第２壁部の長手方向一端部から前記第１壁部および前記第２壁部の長手方向他端部にわたって連なり、
前記第１壁部の他方の長辺部分と前記第２壁部の他方の長辺部分とは、前記第１壁部および前記第２壁部の長手方向一端部から、前記第１壁部および前記第２壁部の長手方向一端部と、前記第１壁部および前記第２壁部の長手方向他端部との間の中間部における予め定める位置にわたって連なり、
前記第１壁部の一方の短辺部分と、前記第２壁部の一方の短辺部分とは連なり、
前記第１壁部の他方の短辺部分と、前記第２壁部の他方の短辺部分とは離間していることを特徴とする排尿回収具。
【請求項２】
前記予め定める位置は、前記第１壁部および前記第２壁部の長手方向他端部から、前記短辺部分の長さだけ、前記第１壁部および前記第２壁部の長手方向一端部側に離間した位置であることを特徴とする請求項１に記載の排尿回収具。
【発明の詳細な説明】
【技術分野】
【０００１】
本発明は、病人、要介護者、高齢者、失禁者、軽失禁者のための排尿回収具である。
【背景技術】
【０００２】
従来から、病人、要介護者、高齢者、失禁者、軽失禁者などの非健常者が尿を排泄するために尿瓶が使用されている。男性用の尿瓶には筒状の開口部が設けられており、使用者は、尿が尿瓶の外部に漏れないように排泄するために、該開口部に陰部を挿入して排尿している。１つの尿瓶を複数人が使用する場合には、尿瓶を使用するたびに、回収した尿を処分し、その尿瓶を洗浄しても、使用者に不快感を与える場合がある。また、抗がん剤を投与されている者の尿が健常者の肌に付着した場合には、このことによって健常者が被曝するおそれがある。尿瓶に回収された尿は、トイレなどの汚物処理設備まで持ち運んで廃棄されるが、尿瓶は密閉されていないので、たとえば尿を収容した尿瓶を持ち運ぶ際に、尿瓶を不用意に傾けると、尿瓶に収容した尿が外部にこぼれることがある。また、尿が廃棄された尿瓶は、洗浄した後、乾燥する必要があるので、保守管理に手間がかかる。
【０００３】
このような問題を解決する従来技術は、たとえば特許文献１に記載されている。この特許文献１の従来技術では、可撓性かつ液透過性の表面シートと、表面シートに周縁部で接合され、可撓性かつ液不透過性の裏面シートと、表面シートと裏面シートとの間に介在される吸収体とを含む基材を長辺方向中央部で表面シートを内側として折り返し、かつ短辺方向の一端部を対向して互いに接合することによって形成される男性用尿吸収具が提案されている。男性用尿吸収具は、陰茎および陰嚢を含む陰部を収容するための収容空間と、陰部を収容空間に収容するための開口とを含み、袋状に形成されている。
【先行技術文献】
【特許文献】
【０００４】
【特許文献１】特開２００７−１５９６６３号公報
【発明の概要】
【発明が解決しようとする課題】
【０００５】
前述の特許文献１に記載の男性用尿吸収具では、使用者が収容空間内に排泄した尿が、吸収体に吸収されず、開口部から外部に飛散または漏洩することが生じ得る。尿が外部に飛散または漏洩すると、不衛生であり、特に抗がん剤を服用している者が排泄した尿が他者の肌に付着し、他者が被曝するという問題がある。
【０００６】
本発明の目的は、排泄した尿を外部へ飛散または漏洩させずに確実に回収することができる排尿回収具を提供することである。
【課題を解決するための手段】
【０００７】
本発明は、液透過性を有する表面シートと、液不透過性を有する裏面シートと、前記表面シートと前記裏面シートとの間に介在され、液体を保持する吸収体とを有する吸収シートから成る扁平な筒状の排尿回収具であって、
長方形の第１壁部と、
前記第１壁部と同一形状の第２壁部と、を含み、
前記第１壁部の一方の長辺部分と前記第２壁部の一方の長辺部分とは、前記第１壁部および前記第２壁部の長手方向一端部から前記第１壁部および前記第２壁部の長手方向他端部にわたって連なり、
前記第１壁部の他方の長辺部分と前記第２壁部の他方の長辺部分とは、前記第１壁部および前記第２壁部の長手方向一端部から、前記第１壁部および前記第２壁部の長手方向一端部と、前記第１壁部および前記第２壁部の長手方向他端部との間の中間部における予め定める位置にわたって連なり、
前記第１壁部の一方の短辺部分と、前記第２壁部の一方の短辺部分とは連なり、
前記第１壁部の他方の短辺部分と、前記第２壁部の他方の短辺部分とは離間していることを特徴とする排尿回収具である。
【０００８】
また、本発明の排尿回収具において、前記予め定める位置は、前記第１壁部および前記第２壁部の長手方向他端部から、前記短辺部分の長さだけ、前記第１壁部および前記第２壁部の長手方向一端部側に離間した位置であることを特徴とする。
【発明の効果】
【０００９】
本発明によれば、他方の短辺部分と、他方の長辺部分の他端部から予め定める位置の範囲だけ、第１壁部および第２壁部が接合されずに重なった状態で離間しているので、他端部側に、長手方向に対して傾斜した開口部が形成される。開口部には、第１壁部および第２壁部の一部を構成し、開口部から長手方向他端部側に連なる一対の開口側壁が形成されている。使用時には、各開口側壁を互いに離反するように、したがって表面シートが露出するように折り曲げて、排泄器の両側を一対の開口側壁で覆った状態に装着して排尿することができる。これによって、使用者と開口部との間に大きな隙間が発生せず、一対の開口側壁によって排泄器の両側が覆われるので、排泄した尿が開口部を介して外部に飛散または漏洩することを防止し、確実に排泄した尿を排尿回収具によって回収することができる。
【００１０】
また、本発明によれば、長手方向に対して約４５°で傾斜した開口部が形成される。使用者の姿勢に応じて開口部を上方に、または下方に向けて使用することができ、使い勝手のよい排尿回収具を提供することができる。
【図面の簡単な説明】
【００１１】
【図１】本発明の第１実施形態に係る排尿回収具１の吸収シート５の展開図である。
【図２】図１の切断面線Ａ−Ａから見た拡大断面図である。
【図３】２つ折りにされた吸収シート５の断面図である。
【図４】２つ折りにされた吸収シート５の正面図である。
【図５】陰茎４２が挿入された排尿回収具１の正面図である。
【図６】図５の矢符Ｂから見た平面図である。
【図７】図５の矢符Ｃから見た図である。
【図８】陰茎４２が挿入された排尿回収具１の正面図である。
【図９】陰茎４２が挿入された排尿回収具１の正面図である。
【図１０】第２実施形態の排尿回収具１０１の吸収シート１０５の展開図である。
【図１１】図１０の切断面線Ｄ−Ｄから見た断面図である。
【図１２】図１０の切断面線Ｅ−Ｅから見た断面図である。
【図１３】２つ折りにされた吸収シート１０５の正面図である。
【図１４】図１３の切断面線Ｆ−Ｆから見た断面図である。
【図１５】第２実施形態の排尿回収具１ａを示す正面図である。
【図１６】第３実施形態の排尿回収具１ｂを示す正面図である。
【図１７】第４実施形態の排尿回収具１ｃを示す正面図である。
【図１８】第４実施形態の排尿回収具１ｃを示す背面図である。
【発明を実施するための形態】
【００１２】
図１は、本発明の一実施形態に係る排尿回収具１の吸収シート５の展開図である。図２は、図１の切断面線Ａ−Ａから見た拡大断面図である。排尿回収具１は、液透過性を有する表面シート２と、液不透過性を有する裏面シート３と、表面シート２と裏面シート３との間に介在され、液体を保持する吸収体４とを有しており、裏面シート３が、表面シート２と吸収体４との周縁部を覆うように、表面シート２の外側に延びた状態で表面シート２の外側に接合された長尺な吸収シート５から成る。吸収シート５は、展開状態において、たとえば５７０ｍｍ×１６５ｍｍの長方形のシート素材から成る。
【００１３】
表面シート２は、可撓性かつ液透過性のシートであればよく、たとえば、不織布、織布、多孔性プラスチックフィルムなどを用いて形成することができる。不織布および織布の構成繊維としては、ポリプロピレン、ポリエチレン、ポリエステル、ナイロンなどの単繊維、またはポリエステル、ポリプロピレン、ポリエチレン、ナイロンなどの２成分以上からなる複合繊維などであり、ポリエステルとポリエチレンとの複合繊維、ポリプロピレンとポリエチレンとの複合繊維などが強度の面から好ましい。
【００１４】
裏面シート３は、可撓性かつ液不透過性のシートなどを用いて形成することができる。具体的には、裏面シート３は、ポリエチレンなどの液不透過性フィルム、液不透過性フィルムと不織布あるいは織布を貼り合わせた素材などを用いて形成することができる。また、液体を透過させない程度の多数の微小な透孔を設けたポリエチレン製多孔質フィルム、熱可塑性樹脂にフィラーを加えて延伸した透湿性のあるフィルム、あるいはこれらのフィルムの外側に不織布、織布を貼り合わせた複合多層シートを用いて裏面シート３を形成してもよい。
【００１５】
吸収体４は、クッション性の高い綿状パルプ、たとえば綿状に粉砕されたフラッフ状繊維と、吸収した尿をゲル状に凝固させる吸収性ポリマとが混合された材料を、厚み方向の両側からティッシュによって覆うことによって形成される。吸収性ポリマは、たとえばデンプン‐アクリル酸（塩）グラフト共重合体のケン化物、ナトリウムカルボキシメチルセルロースの架橋物、アクリル酸（塩）重合体などを用いることできる。
【００１６】
吸収シート５は、図１に示す、吸収シート５を長手方向に２等分する位置にある、長手方向と垂直な折り曲げ線Ｌにおいて、液透過性を有する表面シート２同士が互いに対向し、液不透過性を有する裏面シート３が外方に臨むように２つ折りされる。
【００１７】
図３は、２つ折りにされた吸収シート５の断面図である。図４は、排尿回収具１の正面図である。２つ折りにされた吸収シート５は、長方形の第１壁部８と、折り曲げ線Ｌで第１壁部８と連なった向かい合わせの長方形の第２壁部９と、を含む。第１壁部８と第２壁部９とは、同一形状である。
【００１８】
第１壁部８の一方の長辺部分１０と第２壁部９の一方の長辺部分１１とは、第１壁部８および第２壁部９の長手方向一端部１４，１５から第１壁部８および第２壁部９の長手方向他端部１６，１７にわたって、たとえば接着されて連なる。第１壁部８の他方の長辺部分１８と第２壁部９の他方の長辺部分１９とは、第１壁部８および第２壁部９の長手方向一端部１４，１５から、第１壁部８および第２壁部９の長手方向一端部１４，１５と、第１壁部８および第２壁部９の長手方向他端部１６，１７との間の中間部における予め定める位置２３，２４とにわたって、たとえば接着されて連なる。
【００１９】
第１壁部８の一方の短辺部分２８と、第２壁部９の一方の短辺部分２９とは連なり、第１壁部８の他方の短辺部分３０と、第２壁部９の他方の短辺部分３１とは離間している。このような排尿回収具１では、他方の短辺部分３０，３１と、他方の長辺部分１８，１９の長手方向他端部１６，１７から予め定める位置２３，２４の範囲とは、第１壁部８および第２壁部９が接合されずに重なった状態で離間している。これによって、袋状の本体部３５が形成され、本体部３５の長手方向他端部１６，１７には、長手方向に対して傾斜した開口部４０が形成される。
【００２０】
予め定める位置２３，２４は、第１壁部８および第２壁部９の長手方向他端部１６，１７から、短辺部分３０，３１の長さだけ、第１壁部８および第２壁部９の長手方向一端部１４，１５側に離間した位置とすることができる。このような排尿回収具１では、他方の短辺部分３０，３１と、他方の長辺部分１８，１９の長手方向他端部１６，１７から短辺部分３０，３１の長さの範囲だけ、第１壁部８および第２壁部９が離間している。これによって、袋状の本体部３５が形成され、本体部３５の長手方向他端部１６，１７側には、角度θが４５°である開口部４０が形成される。傾斜角度θは、たとえば４５°とすることが好ましい。さらに、互いに離間した第１壁部８および第２壁部９によって、開口部４０に連なる一対の開口側壁４１ａ，４１ｂが形成されている。各開口側壁４１ａ，４１ｂは三角形である。
【００２１】
図５は、陰茎４２が挿入された排尿回収具１の正面図である。第１壁部８の一方の長辺部分１０および第２壁部９の一方の長辺部分１１の長さＹは、約２８５ｍｍが好ましく、長手方向他端部１６，１７の長さＸは約１５５ｍｍが好ましい。Ｙ／Ｘ≦２．５が好ましく、Ｚ／Ｘ≦１．２が好ましい。長手方向他端部１６，１７に対して傾斜する開口部４０の傾斜角度θは、１５°〜７５°の範囲であり、好ましくは３０°〜５０°である。使用者が男性の場合には、陰茎４２および陰嚢４６が、股間部５０の基端部５１から体の前方に向かって３０ｍｍ〜７０ｍｍ突出している。本体部３５に挿入された陰茎４２の開口部４０からの露出を少なくするために、平面上で第１および第２壁部８，９が重なって平坦に畳まれた状態において、開口部４０の傾斜角度θは、３０°〜４５°が好ましい。開口部４０の傾斜角度θが４５°よりも大きくなると、本体部３５に挿入された陰茎４２が大きく露出し、その隙間から開口部４０を介して排泄時に尿が外部へ飛散するおそれがある。
【００２２】
使用者が女性の場合には、開口部４０の傾斜角度θは４５°〜６０°が好ましい。女性は、尿道口が股間の下面から窪んだ状態で位置しており、広い開口部４０の開口側壁４１ａ，４１ｂを股間の左右に押し当てた状態で排尿することによって、排尿時に尿の飛沫が本体部３５の外部に飛散することを防止することができる。
【００２３】
排尿回収具１では、２００ｃｃ〜１０００ｃｃの尿を吸収して保持することができる。使用者が一度に排泄する尿は、およそ１５０ｃｃであり、排尿回収具１は６回程度の排尿に使用することができる。図４に示す排尿回収具１では、部分Ｗと部分Ｚとでそれぞれ尿を保持しており、（部分Ｗが保持可能な尿の体積）／（部分Ｚが保持可能な尿の体積）の比率を、たとえば１〜２とすることが好ましい。これによって、部分Ｗと部分Ｚとで排泄された尿を、満遍なくかつ迅速に吸収して保持することができる。
【００２４】
図６は、図５の矢視Ｂから見た平面図である。図７は、図５の矢視Ｃから見た図である。排尿回収具１は、たとえば使用者の前方で、長手方向が使用者の前後方向に向き、長手方向と垂直な幅方向が使用者の上下方向に向き、開口部４０が使用者の手前側で使用者に斜め上方に臨んだ状態で使用される。排尿回収具１をこのような方向に位置させると、使用者は、右手と左手とで、一対の開口側壁４１ａ，４１ｂを左右に移動させて、開口部４０を広げた状態で、容易に陰茎４２を排尿回収具１に挿入することができる。陰茎４２を排尿回収具１に挿入していくと、開口部４０の下部４５が陰嚢４６に接触するので、使用者は、陰茎４２の所定の範囲を本体部３５に挿入することができる。
【００２５】
開口部４０の下部４５は使用者の陰嚢４６の近傍まで延びており、開口部４０の上部によって陰茎４２の上方を覆うことができるとともに、開口部４０の下部４５によって陰茎４２を下側から包み込むことができる。
【００２６】
排尿回収具１は、長手方向が使用者の前後方向に向き、長手方向と垂直な幅方向が使用者の上下方向に向いた状態で使用される場合に限定されるものではない。図８に示すように、排尿回収具１は、使用者の前方で、長手方向が使用者の上下方向に向き、長手方向と垂直な幅方向が使用者の前後方向に向いた状態で使用することもできる。
【００２７】
図９は、使用者が支持面９５に横臥している状態で、陰茎４２が挿入された排尿回収具１の正面図である。使用者が横臥している場合には、開口部４０に連なる一対の開口側壁４１ａ，４１ｂのうち、使用者が横臥している支持面９５側に位置する開口側壁４１ａが、支持面９５に沿って、陰茎４２の基端部４７側に延ばされ、本体部３５に陰茎４２が挿入される。一対の開口側壁４１ａ，４１ｂのうち、陰茎４２に対して支持面９５とは反対側（紙面手前側）に位置する開口側壁４１ｂは、陰茎４２の基端部４７側に延ばされて、陰茎４２の紙面手前側を覆う。使用者は、横臥している状態においても、一対の開口側壁４１ａ，４１ｂの表面シート２で陰茎４２の基端部４７を覆った状態で排尿することができ、排尿回収具１の外部に尿が漏れ出ることを防止することができる。
【００２８】
これによって、使用者がベッドに横臥している場合でも、排尿回収具１に挿入された陰茎４２を排尿回収具１の内部に保持することができるので、使用者は、立位の状態、ベッドに座った座位の状態、あるいはベッドに横臥した状態においても排尿回収具１を使用することができる。吸収体４の吸収性ポリマが尿と反応して尿をゲル状に凝固させるので、使用者がベッドに横臥した状態で排尿した場合でも、排尿回収具１の外部に尿が漏れ出すことが防止される。
【００２９】
使用者は、陰茎４２が基端部４７まで本体部３５の内部に挿入されていない場合であっても、右手と左手とで把持した一対の開口側壁４１ａ，４１ｂで覆った状態で排尿することができる。陰茎４２と開口部４０との間の隙間４８が、一対の開口側壁４１ａ，４１ｂによって覆われるので、使用者が排尿しているときに、排泄した尿が開口部４０から本体部３５の外部に飛散することを防止することができる。使用者は、排尿回収具１の長手方向に排尿するので、排尿回収具１の長手方向に沿って配設された一対の吸収体４によって、排泄された尿を効果的に吸収できる。
【００３０】
排尿後に、排尿回収具１を取り外すとき、両側に開いた一対の開口側壁４１ａ，４１ｂが陰茎４２を両側から覆うように復帰させることができるので、排尿するときに陰茎４２およびその周辺に付着した尿を、この一対の開口側壁４１ａ，４１ｂで拭き取り、吸収させることができる。これによって、排尿後、陰茎４２およびその周辺に付着した尿を、別途に準備したティッシュペーパーなどの吸収紙によって拭き取る手間を省くことができる。また、陰茎４２に付着した尿が外部に飛散することを防止することができる。このように、使用者が排泄した全ての尿を排尿回収具１に吸収させることができるので、陰茎４２に付着した尿を排泄後に拭き取り、あるいは外部に飛散した尿を拭き取ることを要しない。これによって、排尿後の廃棄処理を簡便に行なうことができる。
【００３１】
抗がん剤を服用している者が排泄した尿が飛散して、他の者の肌に付着すると、尿が付着した他の者が被曝する可能性が高いが、排尿回収具１に排泄された尿は、排泄されると表面シート２を通過して吸収体４に吸収されて、排泄直後にゲル状となるので、尿が排泄された排尿回収具１を傾けたり排尿回収具１に衝撃が加えられたりしても、尿が排尿回収具１の外部に飛散して汚損することを防止できるので、抗がん剤を服用している者が排泄した尿が、他の者の肌に付着することを抑制することができる。
【００３２】
排尿回収具１は、液透過性を有する表面シート２と、液不透過性を有する裏面シート３と、表面シート２と裏面シート３との間に介在され、液体を保持する吸収体４とを有する吸収シート５が有底筒状に形成されており、排尿回収具１に排泄された尿は、液体に比べて気化しにくいゲル状となるので、排尿回収具１に排泄された尿からのアンモニア成分の拡散を大幅に減少させ、臭気の発生を抑制することができる。
【００３３】
吸収体４は、たとえば綿状に粉砕されたフラッフ状繊維と、尿を吸収してゲル状に凝固させる吸収性ポリマとが混合された材料が、その厚み方向の両側からティッシュによって挟まれた構成であるが、吸収性ポリマが液凝固性以外に抗菌性をも有している場合には、雑菌が繁殖することを抑制することができる。
【００３４】
排尿回収具１を使用することによって、使用者は、おむつを付けないで快適で衛生的に排尿することができ、排泄した尿を容易に衛生的に処理することができる。また、前記従来技術のように、尿瓶の洗浄、乾燥などの手間およびそのための設備を要しないので、尿処理のコストを削減することができる。
【００３５】
排尿回収具１は、紙製であり、柔らかく温かい肌合いなので、排尿回収具１が肌に接触した場合に冷たく感じるなどのストレスを感じることがない。使用者は、開口部４０を視認しながら、右手と左手とで、一対の開口側壁４１を左右に広げた状態で、容易に陰茎４２を排尿回収具１に挿入することができる。排尿回収具１を用いることによって、病院、介護施設などにおいて、看護師、介護師は、尿瓶を使用する場合に必要となる尿瓶の洗浄および乾燥などの手間を要する作業から開放され、洗浄および乾燥の時間を他の作業に充てることができる。
【００３６】
このように、本発明は、液透過性を有する表面シート２と、液不透過性を有する裏面シート３と、表面シート２と裏面シート３との間に介在され、液体を保持する吸収体４とを有する吸収シート５から成る扁平な筒状の排尿回収具１であって、長方形の第１壁部８と、第１壁部８と同一形状の第２壁部９と、を含む。第１壁部８の一方の長辺部分１０と第２壁部９の一方の長辺部分１１とは、第１壁部８および第２壁部９の長手方向一端部１４，１５から第１壁部８および第２壁部９の長手方向他端部１６，１７にわたって互いに接着され、厚み方向に接合されている。
【００３７】
さらに、第１壁部８の他方の長辺部分１８と第２壁部９の他方の長辺部分１９とは、第１壁部８および第２壁部９の長手方向一端部１４，１５から、第１壁部８および第２壁部９の長手方向一端部１４，１５と、第１壁部８および第２壁部９の長手方向他端部１６，１７との間の中間部における予め定める位置２３，２４にわたって互いに接着され、厚み方向に連なり、第１壁部８の一方の短辺部分２８と、第２壁部９の一方の短辺部分２９とは連なり、第１壁部８の他方の短辺部分３０と、第２壁部９の他方の短辺部分３１とは離間している。他方の短辺部分３０，３１と、他方の長辺部分１８，１９の長手方向他端部１６，１７から予め定める位置２３，２４の範囲だけ、第１壁部８および第２壁部９が離間しているので、長手方向他端部１６，１７に、長手方向に対して傾斜した開口部４０が形成され、さらに開口部４０に連なる一対の開口側壁４１が形成される。
【００３８】
使用者は、開口部４０から外部に露出している陰茎４２を、右手と左手とで把持している一対の開口側壁４１で覆った状態で排尿することができる。これによって、使用者が排尿するとき、陰茎４２と開口部４０との間の隙間４８が、一対の開口側壁４１によって覆われるので、使用者が排尿しているときに、排泄した尿の飛沫が開口部４０から外部に飛散することを防止することができる。
【００３９】
また、予め定める位置２３，２４は、第１壁部８および第２壁部９の長手方向他端部１６，１７から、短辺部分３１，３２の長さだけ、第１壁部８および第２壁部９の長手方向一端部１４，１５側に離間した位置であるので、長手方向に対して約４５°傾斜した使い勝手のよい開口部が形成される。
【００４０】
近年、高齢者が激増しているが、高齢になると、夜間の就寝中に４回またはそれ以上の回数、排尿のために眼が覚めることがあり、睡眠不足によって、健康を損なうことがある。また、目覚めた後、トイレに行く時間の余裕がなく、尿失禁してしまうことがある。気温の低い冬季には、寝室とトイレとの温度差が大きくなり、脳梗塞、心筋梗塞などを発症する危険性が高くなる。
【００４１】
本実施形態に係る排尿回収具１は、寝室からトイレに移動することなく、ベッドなどの寝具に横臥した状態で、一晩に排泄される尿を外部に漏らさず回収し、凝固させた状態で保持することができる。排尿回収具１の表面シート２は不織布で構成されており、使用者が冷たく感じることがない。また、吸収体４として、クッション性の高い綿状パルプを使用しているので、柔軟性があり快適に使用することができる。抗がん剤を投与されている患者やガリウムシンチグラフィ検査を行なっている患者が排尿回収具１を使用することによって、該患者の尿が排尿時に外部に飛散することを防止することができ、該患者の尿が他者の肌に付着して他者が被曝することを防止できる。高齢者世帯に対する地域ぐるみの包括的な援助が叫ばれており、排尿回収具１は、高齢者の健康を守る尿器として、高い効果が期待できる。
【００４２】
図１０は、第２実施形態の排尿回収具１０１の吸収シート１０５の展開図である。図１１は、図１０の切断面線Ｄ−Ｄから見た断面図であり、図１２は、図１０の切断面線Ｅ−Ｅから見た断面図である。図１３は、２つ折りにされた吸収シート１０５の正面図であり、図１４は、図１３の切断面線Ｆ−Ｆから見た断面図である。吸収シート１０５は、液透過性を有する表面シート２と、液不透過性を有する裏面シート３と、表面シート２と裏面シート３との間に介在され、液体を保持する吸収体４とを有している。
【００４３】
吸収シート１０５は、長方形の第１壁部１０８と、折り曲げ線Ｌ上で第１壁部１０８と連なり、第１壁部１０８と向かい合わせの長方形の第２壁部１０９とを含む。第１壁部１０８の一方の長辺部分１１４と、第２壁部１０９の一方の長辺部分１１５とは、折り曲げ線Ｌ上に位置しており、折り曲げ線Ｌ上で、第２壁部１０９が、第１壁部１０８側に折返された状態で、第１壁部１０８の一方の短辺部分１１０と、第２壁部１０９の一方の短辺部分１１１とが接着される。さらに、第１壁部１０８の他方の長辺部分１１６と、第２壁部１０９の他方の長辺部分１１７とが、一方の短辺部分１１０の他端部１１９および一方の短辺部分１１１の他端部１２０から、他方の長辺部分１１６および１１７の一端部である他端部１１９，１２０と長辺部分１１６の他端部１２１および長辺部分１１７の他端部１２２との間の中間部における予め定める位置１４２にわたって接着されて、液透過性を有する表面シート２同士が互いに対向し、液不透過性を有する裏面シート３が外方に臨む排尿回収具１０１が形成される。
【００４４】
第１壁部１０８の一方の長辺部分１１４と、第２壁部１０９の一方の長辺部分１１５とが、折り曲げ線Ｌ上に位置した状態で、第２壁部１０９と第１壁部１０８とが互いに重なるように折返されている。このような構成とすることによって、第１実施形態における第１壁部８の一方の短辺部分２８と、第２壁部９の一方の短辺部分２９とが、折り曲げ線Ｌ上に位置した状態で、第２壁部９と第１壁部８とが互いに重なるように折返される場合に比べて、第１壁部１０８と第２壁部１０９とを接着する接着部１４１または熱シールによる接合部を短くすることができる。
【００４５】
図１５は、第２実施形態の排尿回収具１ａを示す正面図である。排尿回収具１ａでは、第１壁部８の他方の短辺部分３０と、第２壁部９の他方の短辺部分３１とは、第１壁部８および第２壁部９の他方の短辺部分３０，３１の一端部６１，６２から、第１壁部８および第２壁部９の他方の短辺部分３０，３１の他端部６３，６４と、第１壁部８および第２壁部９の他方の短辺部分３０，３１の他端部６３，６４と、の間の中間部における予め定める位置６５，６６にわたって、たとえば接着されて連なっている。
【００４６】
このような排尿回収具１ａでは、使用者が単位時間あたりに排泄する尿の量が、吸収シート５が単位時間あたりに吸収可能な尿の量を上回り、吸収シート５で吸収できない尿が、一時的に排尿回収具１ａの底部７５に残ってしまう場合があるが、排尿回収具１ａによれば、第１壁部８の他方の短辺部分３０と、第２壁部９の他方の短辺部分３１とが、第１壁部８および第２壁部９の他方の短辺部分３０，３１の一端部６１，６２から、予め定める位置６５，６６にわたって連なっているので、一時的に排尿回収具１ａの底部７５に残った尿が、開口部４０を介して排尿回収具１ａの外部に流れ出すことを防止することができる。
【００４７】
図１６は、第３実施形態の排尿回収具１ｂを示す正面図である。排尿回収具１ｂでは、第１吸収シート７１である第１壁部７２と、第２吸収シート７３であり、第１壁部７２と左右対称である第２壁部７４との２つの独立した壁部を有している。第１壁部７２と第２壁部７４とは、第１壁部８の他方の短辺部分３０と、第２壁部９の他方の短辺部分３１とが、第１壁部８および第２壁部９の他方の短辺部分３０，３１の一端部６１，６２から、予め定める位置６５，６６にわたって、接着された接着部９１を有している。さらに、第１壁部８の一方の長辺部分１０と、第２壁部９の一方の長辺部分１１とが接着された接着部９２を有しており、第１壁部８の一方の短辺部分２８と、第２壁部９の一方の短辺部分２９とが接着された接着部９３を有しており、第１壁部８の他方の長辺部分１８と、第２壁部９の他方の長辺部分１９とが、第１壁部８および第２壁部９の一方の短辺部分２８，２９から、予め定める位置７７，７８にわたって、接着された接着部９４を有している。
【００４８】
第１壁部８および第２壁部９の角部８１〜８４は円弧で形成されており、接着部９１および接着部９２、接着部９２および接着部９３、接着部９３および接着部９４は、角部８１〜８４の形状に沿うようにそれぞれ円弧で接続されている。これによって、排尿回収具１ｂの底部７５に溜まった尿の荷重によって、接着部９１〜９４の特定の部分に応力が集中することが緩和されるので、接着部９１〜９４が破損して、尿が排尿回収具１ｂの外部に漏れることが抑制される。
【００４９】
図１７は、第４実施形態の排尿回収具１ｃを示す正面図であり、図１８は、排尿回収具１ｃを示す背面図である。第１壁部８の、表面シート２と裏面シート３との間および第２壁部９の、表面シート２と裏面シート３との間には、たとえば酢酸ビニル−ピロリドン共重合体から成る酢酸ビニル−ビニルピロリドン共重合体系ホットメルトが塗布された尿検出部９９ａ〜９９ｃが設けられている。尿検出部９９ａ〜９９ｃは、第１壁部８の一端部１４および第２壁部９の一端部１５で連なり、第１壁部８および第２壁部９の長手方向に延び、幅方向に互いに間隔をあけて平行に３本の、細長な直線状に設けられている。
【００５０】
尿検出部９９ａ〜９９ｃは、尿が付着していない状態で黄色であり、尿が付着すると青緑色に変化する。第１壁部８および第２壁部９の外面９７，９８を構成する半透明の裏面シート３を介して尿検出部９９ａ〜９９ｃの色を視認することができ、これによって、医療現場などで、未使用の排尿回収具１ｃと使用済の排尿回収具１ｃとを正確にかつ迅速に見分けることができる。また、リトマス試験紙のように、尿のｐＨによって発色する色相が異なる薬剤を用いて尿検出部９９ａ〜９９ｃが構成されてもよい。
【００５１】
近年、登山者が増加しており、登山者がトイレを使用せず山中で排泄した排泄物の自然生体に与える影響が社会問題になっているが、登山者が、排尿回収具１，１ａ，１ｂ，１ｃを携帯することによって、登山中、複数回にわたって１つの排尿回収具１，１ａ，１ｂ，１ｃに排尿することができる。排尿回収具１，１ａ，１ｂ，１ｃに排泄した尿は、吸収体４がゲル状に凝固させて確実に保持されるので、尿が排尿回収具１，１ａ，１ｂ，１ｃの外部へ漏れ出ることを防止することができ、尿から発散される臭いを抑制することもできる。また、高速道路を自動車で走行中、渋滞に巻き込まれた状態で尿意を催した場合でも、車内で排尿回収具１，１ａ，１ｂ，１ｃを使用して容易に排尿することができる。
【符号の説明】
【００５２】
１，１ａ，１ｂ，１ｃ，１０１  排尿回収具
２  表面シート
３  裏面シート
４  吸収体
５，１０５  吸収シート
８，１０８  第１壁部
９，１０９  第２壁部
１０，１１，１１４，１１５  一方の長辺部分
１４，１５  一端部  
１６，１７，１１９，１２０，１２１，１２２  他端部  
１８，１９，１１６，１１７  他方の長辺部分  
２３，２４  予め定める位置  
２８，２９１１０，１１１  一方の短辺部分  
３０，３１  他方の短辺部分
３５  本体部
４０，１４０  開口部  
４１  開口側壁
４２  陰茎
４５  下部
４６  陰嚢
４７，５１  基端部
４８  隙間
５０  股間部
６１，６２，６３，６４  一端部
６５，６６，７７，７８  予め定める位置
７１  第１吸収シート
７２  第１壁部
７３  第２吸収シート
７４  第２壁部
７５  底部
８１，８２，８３，８４  角部
９１，９２，９３，９４，１４１  接着部
９５  支持面
９７，９８  外面
９９  尿検出部
１４２  位置
Ｌ  折り曲げ線
【図１】
2020089507.tif 000003
【図２】
2020089507.tif 000004
【図３】
2020089507.tif 000005
【図４】
2020089507.tif 000006
【図５】
2020089507.tif 000007
【図６】
2020089507.tif 000008
【図７】
2020089507.tif 000009
【図８】
2020089507.tif 000010
【図９】
2020089507.tif 000011
【図１０】
2020089507.tif 000012
【図１１】
2020089507.tif 000013
【図１２】
2020089507.tif 000014
【図１３】
2020089507.tif 000015
【図１４】
2020089507.tif 000016
【図１５】
2020089507.tif 000017
【図１６】
2020089507.tif 000018
【図１７】
2020089507.tif 000019
【図１８】
2020089507.tif 000020